(57)【要約】      （修正有）【課題】１つの実習用人体模型により様々な年齢層や性別を模擬することができ、リアリティのある実習環境を構築するためのコストを大幅に低減することができる実習用人体模型を提供する。【解決手段】少なくともヒトの頭部が模擬された模擬頭部Ｈを備えた実習用人体模型１００であって、前記模擬頭部Ｈが、頭部素体と、前記頭部素体に対して着脱可能に取り付けられるマスクと、を備えた。【選択図】図１
2017026688.tif 000002
【特許請求の範囲】
【請求項１】
ヒトの頭部が模擬された模擬頭部を少なくとも備えた実習用人体模型であって、
前記模擬頭部が、
頭部素体と、
前記頭部素体に対して着脱可能に取り付けられるマスクと、を備えたことを特徴とする実習用人体模型。
【請求項２】
前記マスクが、前記頭部素体の顔面部を覆うように取り付けられる請求項１記載の実習用人体模型。
【請求項３】
前記マスクの裏面側と、前記頭部素体との間に形成され、前記マスクを前記頭部素体に対して係合させる係合構造を備えた請求項１又は２記載の実習用人体模型。
【請求項４】
前記頭部素体が、眼窩部と、鼻腔部と、口腔部と、を具備し、
前記マスクが、前記眼窩部へと挿入される眼球部と、前記鼻腔部、及び、前記口腔部を外部へと露出させる露出開口と、耳部と、を備えた請求項１乃至３いずれかに記載の実習用人体模型。
【請求項５】
前記口腔部に対して着脱可能に取り付けられた入れ歯をさらに備えた請求項４に記載の実習用人体模型。
【請求項６】
前記鼻腔部及び前記口腔部に接続された模擬気道と、前記口腔部に接続された模擬食道とをさらに備えた請求項４又は５に記載の実習用人体模型。
【請求項７】
前記模擬頭部が、前記頭部素体に対して前記マスクが取り付けられた状態で頭頂部に被されるカツラをさらに備えた請求項１乃至６いずれかに記載の実習用人体模型。
【発明の詳細な説明】
【技術分野】
【０００１】
本発明は、例えば医療行為、看護行為、又は、介護行為等の実習に用いられる実習用人体模型に関するものである。
【背景技術】
【０００２】
例えば医師、看護師等を育成する教育機関においては、ヒトの全身又は一部を模した実習用人体模型を用いた医療行為、看護行為、又は、介護行為の実習が行われている。
【０００３】
従来の実習用人体模型には、例えば特許文献１に示されるように若い女性を模したものがある。このような実習用人体模型はヒトを忠実に模してはいるが、ある一部の年齢層、性別しか模擬できていない。
【０００４】
これまでは実習用人体模型を用いた実習では患者の特性に関わらず基本的なスキルを習得できればよいと考えられていたため、実習用人体模型に様々な個性やバリエーションを持たせることはあまり行われてこなかった。
【０００５】
例えば実習用人体模型に取り付けるカツラや、性器部の交換により男性と女性を変更可能にしたものはあるが、年齢層や性別による顔の違いについて従来重要視されてこなかった。
【先行技術文献】
【特許文献】
【０００６】
【特許文献１】ＷＯ２００８／０２３４６４号公報
【発明の概要】
【発明が解決しようとする課題】
【０００７】
ところが、近年の実習用人体模型を用いた実習においては年齢層や性別を考慮し、細やかな配慮の行き届いた医療行為、看護行為、又は、介護行為を実習者が習得できるようにすることが求められつつある。
【０００８】
このような状況下、ある特定の年齢層、性別を模擬することしかできない従来の実習用人体模型によって、きめ細やかな看護や介護技術を本当に効率よく習得できるのか、という点に初めてメスを入れて本発明はなされたものである。
【０００９】
すなわち、本発明は上述したような問題を鑑みてなされたものであり、１つの実習用人体模型により様々な年齢層や性別を模擬することができ、大幅なコスト上昇を招くことなくリアリティのある実習環境を構築できる実習用人体模型を提供することを目的とする。
【課題を解決するための手段】
【００１０】
そのため本発明に係る実習用人体模型は、ヒトの頭部が模擬された模擬頭部を少なくとも備えた実習用人体模型であって、前記模擬頭部が、頭部素体と、前記頭部素体に対して着脱可能に取り付けられるマスクと、を備えたことを特徴とする。
【００１１】
このようなものであれば、様々な年齢層や性別の特徴を有するマスクを複数用意しておくだけで、前記頭部素体に対して前記マスクを交換することにより、実習目的に応じた年齢層や性別の特徴を持った実習用人体模型へと適宜変更することができる。
【００１２】
したがって、実習者は前記実習用人体模型から年齢層や性別に応じた医療行為、看護行為、又は、介護行為の注意点を意識しながら実習を行うことが可能となる。このため、実際の医療現場や看護現場の状態に近いリアリティのある実習環境で実習者は実習を行うことができるので、実習効果を従来よりも高めることができる。
【００１３】
より具体的には、例えば前記マスクが若い女性を模したものであれば、実習者は若い女性特有の羞恥心等に配慮しつつ適切な医療行為、看護行為、又は、介護行為を実施することを意識できる。また、前記マスクが老人を模したものであれば、通常の医療行為、看護行為、又は、介護行為を行う場合と比較して確認のための声掛けを大きな声で行うといった配慮をしながら実習を行うことができる。また、医療現場や看護現場において患者の外見から医療行為、看護行為、又は、介護行為を行うために必要な情報を得るための訓練にも役立つ。このように実習用人体模型により実際の現場のリアリティを再現できるので、実習者は年齢層や性別に応じた特有の事情を自然と配慮しつつ適切な医療行為又は看護行為・介護行為を実施できるようになっていく。
【００１４】
さらに、前記マスクは着脱可能に構成してあるので、年齢層や性別の組み合わせ数が多くても組み合わせ数に応じたマスクだけを作成すればよい。例えば従来の実習用人体模型により成人から老人、男性又は女性といった幅広い組み合わせを対象とする理想的な実習環境を構築しようとすると、実習用人体模型を複数体用意する必要があり、導入コストが大きくなってしまう。これに対して本発明であれば、１つの本体に対して複数のマスクを用意するだけなので、理想的な実習環境を構築するために必要となる実習用人体模型の導入コストの上昇を防ぐことができる。
【００１５】
前記実習用人体模型が模している年齢層や性別を簡単な作業で変更できるようにするには、前記マスクが、前記頭部素体の顔面部を覆うように取り付けられるものであればよい。このようなものであれば、前記マスクは前記頭部素体の全体を覆面のように覆うのではなく前記頭部素体の顔面部のみを覆っているので頭部素体を床や診察台等に寝かした状態で前記マスクを交換することができる。また、前記頭部素体の顎が動くように機構を有している場合でも前記マスクを取り付ける際に干渉しないように構成しやすい。
【００１６】
前記マスクの表情を本物のヒトの表情に近づけて構成しやすくするとともに、前記頭部素体に対して前記マスクを着脱可能としつつ取り付けやすくするには、前記マスクの裏面側と、前記頭部素体との間に形成され、前記マスクを前記頭部素体に対して係合させる係合構造を備えたものであればよい。このようなものであれば、前記マスクの表面側には例えば表情の動きや質感を再現しやすいように皮膚構造のみを再現でき、よりリアリティを高めやすい。
【００１７】
前記実習用人体模型の年齢層や性別だけでなく表情も実際のヒトに近づけやすくするには、前記頭部素体が、眼窩部と、鼻腔部と、口腔部と、を具備し、前記マスクが、前記眼窩部へと挿入される眼球部と、前記鼻腔部、及び、前記口腔部を外部へと露出させる露出開口と、耳部と、を備えたものであればよい。このようなものであれば、前記頭部素体に前記眼窩部や前記口腔部の構造等の構造を作り込みやすく、その動作や変化状態を前記露出開口から実習者は視認できる。また、前記マスクは、年齢や性別の特徴を表しやすい眼球部、耳部を有しているので、年齢層や性別のリアリティを高めやすい。また、前記マスクが少なくとも眼球部を備えるものであれば、当該マスクごとに眼球部の形状や色彩などを微妙に変化させるだけでも様々な年齢層や性別のヒトの表情を細やかに表現しリアリティを向上させることが可能である。
【００１８】
例えば気管挿管や歯磨きの介助においては患者の歯並びや口腔の状態に応じて適切に行う必要があるが、このような手技を習得するための訓練においてより実習効果を高められるようにするには、前記口腔部に対して着脱可能に取り付けられた入れ歯をさらに備えたものであればよい。このようなものであれば、外見だけでなく、加齢による歯の抜けおちや歯並びの変化を再現でき、実習環境のリアリティをさらに高めることができる。
【００１９】
気管挿管等の実習にも対応できるようには、前記鼻腔部及び前記口腔部に接続された模擬気道と、前記口腔部に接続された模擬食道とをさらに備えたものであればよい。
【００２０】
顔の表情だけでなくさらに外見を年齢層や性別に応じたものに近づけて実習のリアリティを高められるようにするには、前記模擬頭部が、前記頭部素体に対して前記マスクが取り付けられた状態で頭頂部に被されるカツラをさらに備えたものであればよい。このようなものであれば髪型によって年齢層や性別の特徴を際立たせることができる。
【発明の効果】
【００２１】
このように本発明の実習用人体模型であれば、前記頭部素体に対して前記マスクが着脱可能に構成されているので、前記マスクを年齢層や性別の組み合わせに応じて複数用意しておくことにより、前記マスクを交換するだけで様々な年齢層や性別を模擬することができる。このため、実習のリアリティを従来よりも向上させることができ、実習者は外見から読み取るべき事項や注意すべき事項への意識の振り向けといった高度な項目を実習で学ぶことが可能となる。また、前記マスクを交換するだけ様々な年齢層や性別を模擬することができるので、１つの実習用人体模型を導入するだけで様々な状況設定の実習を実現できる。したがって、本発明であれば実習のリアリティを高めつつ、導入コストを低減し、かつ、必要となる実習用人体模型の保管スペースも小さくすることができる。
【図面の簡単な説明】
【００２２】
【図１】本発明の一実施形態に係る実習用人体模型の全体を示す図。
【図２】同実施形態における頭部素体に対してマスクが取り付けられた状態の模擬頭部を示す図。
【図３】同実施形態におけるマスクが取り外された状態の頭部素体を示す図。
【図４】同実施形態におけるマスクを示す図。
【図５】同実施形態におけるマスクのバリエーションを示す図。
【図６】同実施形態における入れ歯のバリエーションを示す図。
【図７】同実施形態における口腔部内に形成された固定突起を示す模式図。
【発明を実施するための形態】
【００２３】
本発明の一実施形態に係る実習用人体模型１００について各図を参照しながら説明する。
【００２４】
本実施形態の実習用人体模型１００は、図１の全体図に示すようにヒトの全身を模擬したものである。この実習用人体模型１００は、例えば医学部、看護学部、各種専門学校において医療行為、看護行為、又は、介護行為の実習を行うために用いられる。医療行為又は看護行為・介護行為の実習としては例えば気管挿管、気管切開、胃瘻、導尿のためのカテーテル挿入、ストーマの処置、注射、点滴、歯磨き等の口腔ケア、洗髪等が挙げられる。前記実習用人体模型１００は、前述したような医療行為、看護行為、又は、介護行為を１つの模型について着脱可能なパーツを変更することで様々な年齢層や性別の患者を模擬して実習できるように構成してある。
【００２５】
より具体的には、前記実習用人体模型１００は少なくとも模擬頭部Ｈ、カツラＷ、模擬胴部Ｔ、模擬腕部Ａ、模擬腰部ＬＢ、模擬脚部Ｌ、模擬性器部Ｓを備えており、本実施形態では前記模擬頭部Ｈ、及び、前記模擬性器部Ｓを構成するパーツを変更可能としてある。前記模擬頭部Ｈ及び前記模擬性器部Ｓのパーツを変更することで、様々な年齢層や性別の組み合わせを実現できる。
【００２６】
次に本実施形態の実習用人体模型１００の前記模擬頭部Ｈについて詳述する。図２は前記模擬頭部Ｈのみを取り外した状態を示し、図３は前記模擬頭部Ｈの頭部素体１からマスク２を取り外した状態を示し、図４は前記マスク２の構造を示すものである。
【００２７】
前記模擬頭部Ｈは、図２、図３、図４に示すように本体部分となる前記頭部素体１と、前記頭部素体１に対して着脱可能に取り付けられる前記マスク２と、模擬食道４と、模擬気道３と、を備えたものである。また前記模擬頭部Ｈは、図１に示すように前記頭部素体１に前記マスク２が取り付けられた状態において前記マスク２に設定されている年齢層や性別に応じたカツラＷが頭頂部に取り付け可能である。
【００２８】
前記頭部素体１は図３に示すようにヒトの頭部において顔面部を除く部分を模しているものであり、少なくとも眼窩部１１、鼻腔部１２、口腔部１３、首部１４を備えたものである。本実施形態では前記頭部素体１は模擬する年齢層又は性別によらず共通で使用する。図３に示されるように前記頭部素体１は前記マスク２で覆われない部分である後頭部については表皮を模擬している。前記鼻腔部１２及び前記口腔部１３は前記模擬気道３と内部で連通しており、前記口腔部１３は前記模擬食道４とも内部で連通している。前記首部１４は前記模擬胴部Ｔに取り付けられるものであり、前記模擬頭部Ｈが前記も同部に対して上下方向に可動できるようにねじ止め部を有する。
【００２９】
前記マスク２は、図４に示すように頭部において両耳よりも前側の顔面部と首部１４の顔面側の表皮を模擬するものである。このマスク２は図５に示されるように年齢層と年齢の組み合わせに応じて複数種類用意してある。なお図５に示されるのは成人女性のマスク２と、老人女性のマスク２である。
【００３０】
このマスク２は、後頭部側が開口した概略球状に形成してあり、眼球部２１と、鼻の穴及び口を模擬する露出開口１２と、耳部１３とを備えたものである。このマスク２が前記頭部素体１に取り付けられることにより前記頭部素体１の後頭部となめらかに接続されて前記模擬頭部Ｈが構成される。また、前記マスク２は軟質樹脂材により形成してあり所定の伸縮性を有するとともに、ヒトの皮膚の弾力と略等しい弾力を有している。
【００３１】
前記眼球部２１は前記マスク２において表側は瞳を模擬するとともに裏側は前記眼窩部１１に収容される突出部を有している。
【００３２】
前記露出開口１２は、前記鼻腔部１２、及び、前記口腔部１３を外部へと露出させるものであり、前記頭部素体１における前記鼻腔部１２及び前記口腔部１３に対応する位置に設けてある。また、本実施形態では前記マスク２の首表面部２４の顔面側には穴２５が形成してあり、これは痰の吸引や気管切開ケア実習に用いることができるようにしてある。
【００３３】
そして、前記頭部素体１と前記マスク２の裏側との間には前記頭部素体１の顔面部を覆うように取り付けた状態で前記マスク２を前記頭部素体１に対して係合させる係合構造５が設けてある。
【００３４】
より具体的には、前記係合構造５は図３及び図４に示されるように前記頭部素体１のこめかみの近傍と首部１４に設けられた６つの係合穴５１と、前記マスク２の裏側において外縁部に設けられた６つの係合突起５２とから構成してある。各係合穴５１に対して各係合突起５２は対応する形状を有しており、押し込むことで摩擦により固定することができる。前記マスク２を交換する際には前記頭部素体１から前記マスク２を引っ張ることにより各係合穴５１から各係合突起５２が引き出されて前記マスク２を外すことができる。なお、各係合穴５１に対する各係合突起５２の取り付け又は取り外しについては特に順番は限定されるものではなく、取り付け又は取り外しのしやすい場所から適宜行えるように構成してある。例えば各係合穴５１及び書く係合突起５２の間に働く摩擦力はほぼ同じ程度となるように構成してある。
【００３５】
さらに本実施形態の前記模擬頭部Ｈは図２、図６、図７に示すように前記口腔部１３に対して着脱可能に取り付けられた入れ歯６を備えている。本実施形態では正常な歯列を模したものと、歯槽膿漏が発生している状態のものが用意してある。それぞれの入れ歯６については歯並びだけでなく、歯ぐきの色についても実際の色を模擬してある。具体的には正常な歯列のものは鮮やかな赤色にしてあり、歯槽膿漏が発生している状態のものは血色の悪い状態にしてある。図６及び図７に示されるように前記入れ歯６の歯根側と、前記口腔部１３内には前記入れ歯６を取り付けて固定するための固定構造が形成してある。より具体的には前記固定構造は、前記口腔部１３内においてＵ字状に突出させた固定突起７１と、前記入れ歯６の歯根側の表面に設けられたＵ字状の溝である固定溝７２とからなる。前記固定溝７２に対して前記固定突起７１を嵌め合わせることで前記入れ歯６が前記口腔部１３内に固定される。前記入れ歯６を交換することで設定されている実習の対象に応じて歯の状態を変更することができる。
【００３６】
このように構成された本実施形態の実習用人体模型１００によれば、前記頭部素体１に対して前記マスク２が着脱可能に構成してあるので、様々な年齢層や性別ごとの特徴を模した複数のマスク２を用意するだけで１体の実習用人体模型１００によってリアリティのある実習を実現することができる。このため、実習者は対象の年齢層や性別、病状等を実習用人体模型１００の外見から読み取り、それに応じて細やかな配慮をしつつ医療行為や看護・介護行為の実習を行うことが可能となる。例えば実習用人体模型１００に取り付けられているマスク２が女性を模したものであれば、実習者は女性特有の羞恥心に配慮し、不必要に患者を辱めることがないように適切な処置を行うための訓練を行いやすい。また、マスク２が老人を模したものであれば実習者は通常よりも確認作業を丁寧にしなければならないといった現場に即したテクニックを習得しやすくなる。
【００３７】
このように本実施形態の実習用人体模型１００は、このような分野ではあまり重視されていなかった頭部の外観を実習の状況設定に合わせて簡単に変更できるようにし、臨場感のある実習環境を実現できる。ところで、このような実習環境を実現するには従来であれば患者の設定ごとに実習用人体模型１００を用意する必要があった。一方、本実施形態の実習用人体模型１００であれば複数の条件設定の実習を実現するためには１体だけ用意すればよく、教育機関における導入コストを大幅に低減でき、また、実習用人体模型１００の保管スペースも小さくできる。これらのことからバリエーションに富み、リアリティのある実習環境の整備が教育機関において行いやすくなる。
【００３８】
さらに、前記マスク２は後頭部側が開口しているので前記実習用人体模型１００を例えば仰向けに寝かせた状態で着脱することができる。また、前記マスク２の裏側と前記頭部素体１との間に形成された係合構造５はねじ止め等を必要としない嵌め込み式のものであるので、着脱時の作業も簡単なものとなる。さらに、ねじ等の固定部材が前記模擬頭部Ｈの表面には現れることがないので前記実習用人体模型１００のリアリティをできる限り損なわないようにできる。
【００３９】
加えて前記マスク２は軟質樹脂材により形成してあるので質感や弾力性をヒトとほぼ同じ状態を模擬することができ、前記実習用人体模型１００のリアリティを高められる。また、前記マスク２は眼球、耳を含む顔面部全体を模擬しているので年齢層や性別の特徴を前記マスク２によって表現しやすい。また、実習時にはあまり見えない後頭部については前記頭部素体１により構成してあるので取り付けやすさとリアリティを両立しやすい。
【００４０】
さらに前記頭部素体１は、前記口腔部１３内に取り付けられる入れ歯６が交換可能であるので、例えば正常な状態の歯又は歯槽膿漏が発生した状態の歯に対する複数種類の口腔ケアの実習を実現できる。また、前記口腔部１３内と前記入れ歯６との間に形成されている固定構造も嵌め込み式なので交換作業も簡単に行える。したがって様々な口腔内の状況を模擬するために複数種類の入れ歯６を用意しておけば、その時々によって適宜変更して意義のある実習にしやすい。
【００４１】
このように本実施形態の実習用人体模型１００であれば、実際の現場に近い様々な年齢層や性別の患者を低コストで模擬し、臨場感のある実習を実現できる。
【００４２】
その他の実施形態について説明する。
【００４３】
前記実施形態の実習用人体模型は、ヒトの全身を模擬するものであったがヒトの一部を模擬するように構成してもよい。例えば本発明の効果を得られるようにするにはヒトの頭部のみを模擬する、あるいは、ヒトの胸部よりも上側のみを模擬するように実習用人体模型を構成してもよい。
【００４４】
前記実施形態では前記マスクの具体例として成人女性と老人女性の例を挙げたが、成人男性、老人男性、その他の年齢層、性別の組み合わせを有するマスクを用意してもよい。さらに年齢層や性別だけでなく、人種的な特徴も変化させてもよい。また、前記マスクは眼球又は耳を有さず、前記頭部素体に眼球、耳が設けられていてもよい。すなわち前記マスクが年齢層や性別に応じた表皮のみを模擬するように構成しても構わない。また、前記マスクが様々な年齢層や性別の特徴を良く表したものとなり、リアリティのあるものにするには、前記マスクが少なくとも眼球部を備えたものであればよい。
【００４５】
さらに前記実施形態では前記マスクは１つの部材で構成されていたが、マスクを複数のパーツに分割して形成しても構わない。また、前記マスクは前記頭部素体の顔面部のみを覆うものに限られず、前記頭部素体の全体を覆うように構成してもよい。このような場合には例えば前記マスクを袋状あるいは覆面状に形成しておき、後頭部側にチャックを設けて前記頭部素体に対して着脱しやすいように構成すればよい。
【００４６】
前記係合構造については前記実施形態に示したような嵌め込み式のものに限られず、例えば前記固定構造のような固定突起と固定溝と略同等の構造を前記マスクと前記頭部素体との間に設けてもよい。さらに前記係合構造を構成していた係合穴をマスクに形成し、係合突起を頭部素体に設けてもよい。また、ねじ止め等により固定してもよい。加えて、前記マスクと前記頭部素体との間にマグネット又は面ファスナーを設けて係合構造を構成してもよい。要するに前記頭部素体に対して前記マスクが着脱可能に取り付けられればよい。
【００４７】
その他、本発明の趣旨に反しない限りにおいて様々な実施形態の組み合わせや変形を行っても構わない。
【符号の説明】
【００４８】
１００・・・実習用人体模型
Ｈ    ・・・模擬頭部
１    ・・・頭部素体
１１  ・・・眼窩部
１２  ・・・鼻腔部
１３  ・・・口腔部
２    ・・・マスク
２１  ・・・眼球部
２２  ・・・露出開口
２３  ・・・耳部
３    ・・・模擬気道
４    ・・・模擬食道
５    ・・・係合構造
５１  ・・・係合穴
５２  ・・・係合突起
６    ・・・入れ歯
７１  ・・・固定突起
７２  ・・・固定溝
【図１】
2017026688.tif 000003
【図２】
2017026688.tif 000004
【図３】
2017026688.tif 000005
【図４】
2017026688.tif 000006
【図５】
2017026688.tif 000007
【図６】
2017026688.tif 000008
【図７】
2017026688.tif 000009